Podtech/llm-jp-corpus-v4-ja_patent huggingface dataset:
(57)【要約】【課題】水中ポンプの運搬時や使用現場における転倒や衝突等による衝撃を吸収して損傷することなく、モータ内部への浸水を防止し得る自動運転型水中ポンプの液面検出電極を提供すること。【解決手段】コイルスプリング１をゴムモールドしてなる保持体２の基端部を鍔状栓体３に形成し、該鍔状栓体３の栓端部よりコイルスプリング１の終端部１ａを線状に導出してモータ側引出線への接続部に形成し、保持体２の先端部より電極棒５をコイルスプリング１の巻回始端部１ｂへ嵌着状に接続する。そして要すれば、保持体２をエルボ状に形成してその先端下面よりコイルスプリング状の延長電極５Ｂを前記電極棒５の下端より嵌着状に接続する。【選択図】        図１
2006299861.tif 000002
【特許請求の範囲】
【請求項１】
コイルスプリングをゴムモールドしてなる保持体の基端部を鍔状栓体に形成し、該鍔状栓体の栓端部よりコイルスプリングの終端部を線状に導出してモータ側引出線への接続部に形成し、保持体の先端部より電極棒をコイルスプリングの巻回始端部へ嵌着状に接続したことを特徴とする、自動運転型水中ポンプの液面検出電極。
【請求項２】
コイルスプリングをゴムモールドしてなる保持体がエルボ状に形成され、該エルボ状に形成された保持体の先端下面部より電極棒をコイルスプリングの巻回始端部へ嵌着状に接続したことを特徴とする、請求項１記載の自動運転型水中ポンプの液面検出電極。
【請求項３】
電極棒の下端より、コイルスプリング状の延長電極を嵌着状に接続したことを特徴とする、請求項２記載の自動運転型水中ポンプの液面検出電極。
【発明の詳細な説明】
【技術分野】
【０００１】
本発明は、自動運転型水中ポンプの液面検出電極に関するものである。
【背景技術】
【０００２】
自動運転型水中ポンプの液面検出電極として基部を水中ポンプのヘッドカバーに定着して導出された不撓性の保持体の導延部に電極棒を保持させたものは公知である（例えば、特許文献１参照。）。しかし、保持体が不撓性であるため、このような可搬式の水中ポンプでは運搬時や使用現場における転倒・衝突等による衝撃を受けて電極および保持体が損傷し易く、また、保持体の破損によりモータ内部への浸水事故を生じるというおそれもある。
【０００３】
【特許文献１】特開２００１−５９４９２号公報  （第１図）
【発明の開示】
【発明が解決しようとする課題】
【０００４】
解決しようとする課題は、転倒や衝突等による衝撃を吸収して損傷することなく、モータ内部への浸水を防止し得る自動運転型水中ポンプの液面検出電極を提供することである。
【課題を解決するための手段】
【０００５】
本発明では、コイルスプリングをゴムモールドしてなる保持体の基端部を鍔状栓体に形成し、該鍔状栓体の栓端部よりコイルスプリングの終端部を線状に導出してモータ側引出線への接続部に形成し、保持体の先端部より電極棒をコイルスプリングの巻回始端部へ嵌着状に接続したことを最も主要な特徴とする。
【発明の効果】
【０００６】
本発明によれば、水中ポンプの運搬時や使用現場における転倒・衝突等による電極棒への衝撃が保持体およびコイルスプリングによって吸収されるので、電極棒および保持体自体の破損を防止し得ると共に、保持体の取付け接合部に作用する力も軽減されるので、モータ内部への浸水事故を生じるおそれもないという利点がある。
【発明を実施するための最良の形態】
【０００７】
コイルスプリングをゴムモールドしてなるエルボ状保持体の基端部を鍔状栓体に形成し、該鍔状栓体の栓端中心部よりコイルスプリングの終端部を線状に導出してモータ側引出線への接続部に形成し、エルボ状保持体の先端下面部より電極棒をコイルスプリングの巻回始端部へ嵌着状に接続し、コイルスプリング状の延長電極を前記電極棒の下端より嵌着状に接続する。
【実施例１】
【０００８】
図１において、１は導電線を巻回して作られたコイルスプリング、２はコイルスプリング１をゴムモールドしてなる保持体であり、基端部は鍔状栓体３に形成されており、該鍔状栓体３の栓端部より絶縁チューブ４を介してコイルスプリング１の終端部１ａが線状に導出されている。５は電極棒であり、保持体２の先端部よりコイルスプリング１の巻回始端部１ｂへ嵌着状に接続されるが、保持体２を図示のようにエルボ状に形成してその先端部下面よりコイルスプリング１の巻回始端部１ｂへ嵌着状に接続することが望ましい。図３における６はグランドであり、エルボ状保持体２の取付け時に鍔状栓体３の表部から添装される。
【０００９】
図４は、エルボ状保持体２の装着例を示したものであり、ポンプモータのブラケットに穿設さらた取付用横孔８への鍔状栓体３を嵌着させ、該鍔状栓体３の表部よりグランド６を添装させて取付用六角ボルト９により締着させる。そして、コイルスプリング１の終端部を例えば、接続端子や端子台等の接続具（図示せず）を介してモータ側引出線と接続させる。
【実施例２】
【００１０】
実施例１の構成を前提として、図５に示すよう、コイルスプリング状の延長電極５Ｂの一端部を電極棒５の下端より嵌着状に接続すれば他方端部は下方へ導下される。これを使用現場において任意長さに切断してその導下長さを調整することにより、制御水位が任意に設定されることになる。また、長さの異なる数種類の延長電極５Ｂ・・５Ｂの中から適当な長さのものを１種類選んで電極棒５に嵌着させることにより、制御水位を適時変更させることも可能である。また、コイルスプリング状の延長電極５Ｂを取外せば、制御水位が電極棒５の突設位置まで引き上げられることになる。
【図面の簡単な説明】
【００１１】
【図１】本発明液面検出電極の縦断側面図である。
【図２】本発明液面検出電極の正面図である。
【図３】本発明液面検出電極の取付時に使用されるグランドの正面図である。
【図４】本発明液面検出電極の装着事例を示した説明図である。
【図５】本発明液面検出電極における電極棒にコイルスプリング状の延長電極を接続させた状態を示す正面図である。
【符号の説明】
【００１２】
１      コイルスプリング
１ａ    コイルスプリングの終端部
１ｂ    コイルスプリングの巻回始端部
２      保持体
３      鍔状栓体
５      電極棒
５Ｂ    コイルスプリング状の延長電極
【図１】
2006299861.tif 000003
【図２】
2006299861.tif 000004
【図３】
2006299861.tif 000005
【図４】
2006299861.tif 000006
【図５】
2006299861.tif 000007
(57)【要約】【課題】  この発明の課題はコードレスにして携帯電話で音楽が聴取できるようにし、しかもこれを一層ステレオで実現できる二つ折り型携帯電話提供するものである。【解決手段】  外部に延出したアンテナを有し、バッテリで駆動され、電波の送受信で送受話口から通話可能な通信用電子回路が組み込まれ、表示装置及び複数のキー等を有する一般的な携帯電話機能を有する二折り型携帯電話において、前記携帯電話の上蓋、下蓋の両隅にスピーカを設けてなることを特徴とする二折り型携帯電話。 【選択図】   図３
2006042101.tif 000002
【特許請求の範囲】
【請求項１】
外部に延出したアンテナを有し、バッテリで駆動され、電波の送受信で送受話口から通話可能な通信用電子回路が組み込まれ、表示装置及び複数のキー等を有する一般的な携帯電話機能を有する二折り型携帯電話において、前記携帯電話の上蓋と下蓋のアームにスピーカを設けてなることを特徴とする二折り型携帯電話。 
【請求項２】
前記上蓋及び下蓋に設けられたアームは扇形に開き可能としてなることを特徴とする請求項１記載の二折り型携帯電話。
【請求項３】
前記アームは途中で停止可能としてなることを特徴とする請求項１記載の二折り型携帯電話。
【請求項４】
前記アームの両スピーカに適宜追加スピーカを設けてなることを特徴とする請求項１記載の二折り型携帯電話。
【発明の詳細な説明】
【技術分野】
【０００１】
この発明は、近年、普及が著しい携帯電話でも二折り型携帯電話に係わり特に配信された音楽または音楽メデアを聞くのに便利な二折り型携帯電話に関するものである。
【背景技術】
【０００２】
最近の携帯電話はTVが受信できたり、道順案内のナビゲータ機能があったり、音楽などの受信ができたり多くの機能が充実してきている。また、二つ折りの携帯電話では両蓋が互いにずれないように構造的にも十分考えられて来ていて全体として機能面、構造面で格段の進歩をしている。
【０００３】
そして、音楽を聴くような場合には携帯電話にコネクトできるコネクターを差し込んでコードを介して音楽を聴いているのが現状である。このコードは大変邪魔なもので、できれば採用しないようにしたいものである。
【０００４】
しかしやはり確実なステレオを聴取使用とするとコードを用いるのがポピュラーである。そこで最近のスピーカの特性は格段に向上しているのでこれを利用してコードレスでしかもステレオで音楽を携帯電話で楽しめないかの点に着目したものである。   
【特許文献１】特願２００２−１１８２９号公開公報
【発明の開示】
【発明が解決しようとする課題】
【０００５】
この発明の課題はコードレスにして携帯電話で音楽が聴取できるようにし、しかもこれを一層のステレオ感で実現できる二つ折り型携帯電話を提供するものである。
【課題を解決するための手段】
【０００６】
課題を解決するために、外部に延出したアンテナを有し、バッテリで駆動され、電波の送受信で送受話口から通話可能な通信用電子回路が組み込まれ、表示装置及び複数のキー等を有する一般的な携帯電話機能を有する二折り型携帯電話において、前記携帯電話の上蓋と下蓋のアームにスピーカを設ける構造にすることによってコードレスでしかも一層のステレオ感で聴取が可能な二折り型携帯電話が提供できる。
【発明の効果】
【０００７】
請求項１ではコードレスで携帯電話来本体から直接的にワイドにステレオ音楽の聴取ができるものである。
請求項２及び請求項３では両スピーカはアームによって左右に扇形の開きができるので一層のステレオ感で聴取できしかもこれを調節できる。
請求項４では左右の両スピーカにそれぞれ追加的にスピーカを設けるから音の高低等に変化が得られる。 
【発明を実施するための最良の形態】
【０００８】
以下、この発明の一実施形態を添付図面、図１、図２、図３に基づいて説明するが図１は二折り携帯電話の上蓋と下蓋を開いた場合の斜視図、図２は内側の概略斜視図、図３は左右のアームを引き出した状態の斜視図である。
【０００９】
１はプラスチック製の真ん中から折り曲げる構造の二折り携帯電話で、内部には電波の送受信で通信可能な通信用電子回路が組み込まれていてる。前記携帯電話１は各種データを表示する液晶装置２を施した上蓋３と、各種の機能を入力するスイッチ機能の複数のキー４を施した下蓋５から構成される。前記キー４の表面は文字、数字、絵文字が形成されている。
【００１０】
前記キー４の下には送話口６が形成してあって送話できるようにしてある。また前記液晶装置２の上には受話口７が形成してあって、受話が出来るようにしてある。又前記送話口６の近傍の下蓋５の近傍には図示しないが外部接続端子が形成される。図示しないがアンテナが設けてある。
【００１１】
前記送話口６及び受話口７の近傍にはスピーカ９，１０が設置されている。このスピーカ９，１０は十分に小さく音質の良いものが選定される。スピーカ９，１０はこの場合携帯電話の巾方向の丁度下側付近に配置される。しかも長手方向ではもっとも長い位置に両スピーカ９，１０は配置されることでよりステレオ音が実現できる。
【００１２】
通常は前記上蓋３と下蓋５とは閉じているが使用する場合は矢印Bの方向に互いに離間する方向に口開する、これによって両蓋３，５は開いてステレオの音楽を聴きたい場合はこれによって聴取できるものである。
【００１３】
前記両スピーカ９，１０は一部を携帯電話本体と回動自在に取り付けたアーム１２，１３に設けてあって、このアーム１２，１３は図３で示すように左右に矢印X,Yように扇形に開けるので携帯電話の全長よりさらに両スピーカ間は長くなり一層のステレオ間が得られるものである。もちろん両スピーカ９，１０はアーム１２，１３を畳んで使用してもよいものである。
特に寝た場合に頭の近くに置くと格段に効果的である。尚１１はヒンジである。
【図面の簡単な説明】
【００１４】
【図１】この発明の一実施形態の斜視図。（実施形態１）
【図２】図１の携帯電話を開いた状態の斜視図。
【図３】図１のアームを扇形に開いた場合の斜視図。
【符号の説明】
【００１５】
１  携帯電話
２  液晶装置
３  上蓋
４  キー
５  下蓋
６  送話口
７  受話口  
９  ピーカ
１０  スピーカ
１１  ヒンジ
１２，１３  アーム
【図１】
2006042101.tif 000003
【図２】
2006042101.tif 000004
【図３】
2006042101.tif 000005
(57)【要約】【課題】テレビジョン本体に関連して各種操作を離れた場所から行うリモコン装置であって、テレビジョン信号を表示することが可能なリモコン装置を提供する。【解決手段】テレビを表示するテレビジョン本体と、受像信号を圧縮するテレビ信号圧縮手段と、圧縮されたテレビジョン信号をリモコンに向けて伝送する送信手段と、前記テレビジョン本体に関連して各種操作を離れた場所から行うリモコンと、前記リモコンは転送された信号を受信する受信手段と、受信した信号をテレビジョン信号テレビジョン信号に復元する手段と、テレビジョン信号を画面に表示する手段とを備える。【選択図】図１
2006042107.tif 000002
【特許請求の範囲】
【請求項１】
各種の操作を離れた場所から行うリモコンを備えたテレビジョン機器において、テレビ本体で受像している画面を圧縮してリモコンに転送してリモコン画面で表示が出来るリモコン装置。
【請求項２】
テレビを表示するテレビジョン本体と、受像信号を圧縮するテレビ信号圧縮手段と、圧縮されたテレビジョン信号をリモコンに向けて伝送する送信手段と、前記テレビジョン本体に関連して各種操作を離れた場所から行うリモコンと、前記リモコンは転送された信号を受信する受信手段と、受信した信号をテレビジョン信号テレビジョン信号に復元する手段と、テレビジョン信号を画面に表示する手段とを備えたことを特徴とするリモコン装置。
【発明の詳細な説明】
【技術分野】
【０００１】
本発明はテレビジョン本体に関連して各種操作を離れた場所から行うリモコンに関し、リモコン上でテレビジョン信号を表示するために好適に利用されるものである。
【背景技術】
【０００２】
テレビジョン本体に関連して各種操作を離れた場所から行うリモコンにおいて可能な操作は、選局、音量の調節、電源の操作、コントラスト、ブライトネス、シャープネス等の画面調整、タイマー、目覚まし等の付加機能設定が一般的である（例えば、特許文献１参照）。
【特許文献１】特開昭６３−２５６０９６号公報
【発明の開示】
【発明が解決しようとする課題】
【０００３】
このリモコンにおいて、テレビ本体で受像している映像を表示出来る装置を提供することを目的とする。
【課題を解決するための手段】
【０００４】
この課題を解決するために本発明は、テレビで受像信号を圧縮、リモコンに送信しリモコンはテレビから送信された信号を復元し表示するように構成したものである。これにより、テレビが受像している映像を表示出来るがリモコン得られる。
【０００５】
本発明の請求項１に記載の発明は、各種の操作を離れた場所から行うリモコンを備えたテレビジョン機器において、テレビ本体で受像している画面を圧縮してリモコンに転送してリモコン画面で表示が出来るリモコン装置としたものであり、リモコン上でテレビ本体で受像している映像を表示出来るという作用を有する。
【０００６】
請求項２に記載の発明は、テレビを表示するテレビジョン本体と、受像信号を圧縮するテレビ信号圧縮手段と、圧縮されたテレビジョン信号をリモコンに向けて伝送する送信手段と、前記テレビジョン本体に関連して各種操作を離れた場所から行うリモコンと、前記リモコンは転送された信号を受信する受信手段と、受信した信号をテレビジョン信号テレビジョン信号に復元する手段と、テレビジョン信号を画面に表示する手段とを備えたことを特徴とするリモコン装置としたものであり、テレビ本体で受像している映像をリモコン上で表示出来るという作用を有する。
【発明の効果】
【０００７】
以上のように本発明によれば、テレビ本体で受像している映像をリモコン上で表示出来るという有利な効果が得られる。
【発明を実施するための最良の形態】
【０００８】
（実施の形態１）
図１は本発明の実施の形態１によるリモコン装置を示し、図１において１は、放送信号を受信し表示するテレビジョン、２前記テレビジョンが受信した画像を圧縮するはテレビ信号圧縮手段、３は前記テレビ信号圧縮手段が生成した信号を赤外線等の手段でリモコンに送信する送信手段、４は前記テレビジョン本体に関連して各種操作を離れた場所から行うリモコン、５は前記送信手段が発信した信号を受信する受信手段、６は前記受信手段から送られて来た圧縮画像を元の信号に復元する復元手段、７は前記復元手段で復元した画像を表示する表示手段から構成されている。
【０００９】
次に、本発明の処理動作を説明する。放送信号を受信し表示するテレビジョン１において、受信した画像をＭＰＥＧ４などの圧縮手段を用いてテレビ信号圧縮手段２で圧縮する。圧縮した信号を赤外線通信等の無線伝播手段を用いて送信手段３がリモコンに送信する。リモコンは送信手段３から送られてくる無線信号を受信する受信手段５を有し、さらにテレビ信号圧縮手段２で圧縮された画像を復元する信号復元手段６を経て予めリモコンに搭載するＬＣＤ、有機ＥＬ等の表示手段７でテレビジョンで受信した画像を表示する。
【産業上の利用可能性】
【００１０】
本発明にかかるリモコン装置は、テレビジョン受信機などの映像を表示する機器のリモコンにおいて有用である。
【図面の簡単な説明】
【００１１】
【図１】本発明の実施の形態１によるリモコン装置を示す図
【符号の説明】
【００１２】
１    テレビジョン
２    テレビ信号圧縮手段
３    送信手段
４    リモコン
５    受信手段
６    信号復元手段
７    表示手段
【図１】
2006042107.tif 000003
(57)【要約】【課題】煩わしい操作や別の機器を要することなく、容易に所望の設定を変更できるテレビ受像機を提供する。【解決手段】容易な操作方法で所望の設定ができる操作方法を提供する提供手段１１からの情報により、使用者は操作方法を決定し、入力手段１２を介して入力操作を行う。入力操作が行われると受信手段１３が入力情報を受信し、その入力情報に合った設定内容を記憶手段１４から読み込み、制御手段１５が設定を変更するので、容易な操作方法で所望の設定に変更することができる。【選択図】図１
2006042105.tif 000002
【特許請求の範囲】
【請求項１】
煩わしい操作や別の機器を要することなく、使用者が容易な操作で所望の設定にすることができる方法を予め提供し、その設定方法に基づき入力操作を行うことで所望の設定に変更することができる設定手段を備えたテレビ受像機。
【請求項２】
使用者が所望する複数の状態と前記状態にするための容易な操作方法を予め提供する提供手段と、前記提供手段によって提供された前記操作方法に基づいて使用者が入力操作するための入力手段と、前記入力手段で入力された情報を受信する受信手段と、前記情報毎にどのような設定にするかを予め記憶しておく記憶手段と、前記記憶手段から選択された所望の設定に変更する制御手段を備えたテレビ受像機。
【発明の詳細な説明】
【技術分野】
【０００１】
本発明は、使用者が容易な操作で所望の設定に変更できる設定手段を備えたテレビ受像機に関するものである。
【背景技術】
【０００２】
近年テレビ受像機は多機能化する傾向にあり、所望の機能を設定するためには複雑なマニュアル操作が必要とされる場合がある。さらに、使用者がテレビ受像機を使用するに当たって不便を感じる設定になっていた場合、複雑なマニュアル操作が煩わしいことが原因で、設定を変更できず不便を感じたまま使用する場合がある。
【０００３】
従来、使用者が複雑な操作をせずに所望の設定に変更できる方法を提供する技術は、設定情報記入用紙を用いて設定情報を読み取らせ、それから抽出した設定情報で電子機器の設定を行うというものである（例えば、特許文献１参照）。図２は、特許文献１に記載された従来の設定情報入力方法を提供する技術を示すものである。
【０００４】
図２において、設定情報入力形式提供手段１で設定情報入力形式を取得し、この設定情報入力形式を印刷手段２により印刷して設定情報記入用紙３を作成し、作業者が設定情報を加筆した設定情報記入用紙３を光学読み取り手段４で読み取り、設定情報抽出手段５により設定情報入力形式と照合して設定情報を抽出し、抽出した設定情報により制御部６１が電子機器の設定をしていた。
【特許文献１】特開２００１−２１１２８４号公報
【発明の開示】
【発明が解決しようとする課題】
【０００５】
しかしながら、前記従来の構成では、設定する際に用紙の印刷や記入が必要なので、使用者にとっては煩わしいものである。また、設定するためには別の機器が必要となるという課題を有していた。
【０００６】
本発明は前記従来の課題を解決するもので、使用者が容易な操作で所望の設定に変更できる設定手段を備えたテレビ受像機の提供を目的とする。
【課題を解決するための手段】
【０００７】
上記従来の課題を解決するために、本発明のテレビ受像機は、使用者が所望する複数の状態と前記状態にするための容易な操作方法を予め提供する提供手段と、前記提供手段によって提供された前記操作方法に基づいて使用者が入力操作する入力手段と、前記入力手段で入力された情報を受信する受信手段と、前記情報毎にどのような設定にするかを予め記憶しておく記憶手段と、前記記憶手段から選択された設定に変更する制御手段を有する。
【０００８】
本構成によって、使用者は複雑なマニュアルを熟知しなくても、提供手段によって提供された容易な操作方法によって、所望の状態にすることができる。
【発明の効果】
【０００９】
本発明のテレビ受像機によれば、煩わしい操作や別の機器を要することなく、容易な操作で所望の設定に変更することができる。
【発明を実施するための最良の形態】
【００１０】
以下本発明を実施するための最良の形態について、図面を参照しながら説明する。
【００１１】
（実施の形態１）
図１は、本発明の実施形態におけるテレビ受像機の構成を説明するためのブロック図である。
【００１２】
図１において、１１は使用者が所望する複数の状態と前記状態にするための操作方法を予め提供する情報提供手段であり、例えばテレビ受像機を購入した際に付随の取扱説明書やインターネットがある。ここで、提供する前記操作方法とは通常の操作方法とは異なり、例えばテレビ受像機に付属のリモコンに「設定」というキーを配置し、設定キーと既存キーとの組み合わせによって実現できる操作が考えられる。１２は使用者が入力操作する設定入力手段で、例えばテレビ受像機に付属のリモコンである。１３は前記設定入力手段から入力された情報を受信する受信手段、１４は前記情報提供手段から提供される状態毎における設定内容を記憶しておく記憶手段、１５は設定を変化させる制御手段であり、いずれもテレビ受像機１６に内蔵されているものである。
【００１３】
かかる構成によれば、使用者がある状態にしたいと考えた場合、使用者はその状態にするための容易な操作方法を提供手段１１から選択し、前記操作方法に基づき入力手段１２を操作する。入力操作が行われると受信手段１３が入力情報を受信し、記憶手段１４から前記入力情報に合った設定内容を読み込み、制御手段１５によりテレビ受像機の設定を変更する。このように、煩わしい操作や別の機器を有することなく、容易に所望の状態にすることができる。
【産業上の利用可能性】
【００１４】
本発明にかかる容易な設定手段を備えたテレビ受像機は、煩わしい操作や別の機器を要することなく、容易な操作で所望の設定に変更することが可能になるので、使用者が容易な操作で所望の設定に変更できる設定手段を備えたテレビ受像機として有用である。
【図面の簡単な説明】
【００１５】
【図１】本発明の実施の形態１におけるテレビ受像機のブロック図
【図２】従来の使用者が容易な操作で所望の設定に変更することができるテレビ受像機のブロック図
【符号の説明】
【００１６】
１１    情報提供手段
１２    設定入力手段
１３    受信手段
１４    記憶手段
１５    制御手段
１６    テレビ受像機
１    設定情報入力形式提供手段
２    印刷手段
３    設定情報記入用紙
４    光学読み取り手段
５    設定情報抽出手段
６    設定対象の電子機器
６１    制御部
【図１】
2006042105.tif 000003
【図２】
2006042105.tif 000004
(57)【要約】【課題】  広い音場を得る場合は２つのスピーカを１８０度の角度で配置するが、高域の音圧が下がり、これを補うために高域を回路でブーストしなければならない。【解決手段】  振動軸が互いに略１８０度の角度となるよう配置され、高域の再生音圧が中低域に比べて高いＬチャンネル及びＲチャンネル用スピーカーユニットと、Ｌチャンネル及びＲチャンネル用スピーカーユニットを収納するエンクロージャーとからなる。【選択図】        図１
2006042186.tif 000002
【特許請求の範囲】
【請求項１】
振動軸が互いに略１８０度の角度となるよう配置され、高域の再生音圧が中低域に比べて高いＬチャンネル及びＲチャンネル用スピーカーユニットと、
該Ｌチャンネル及びＲチャンネル用スピーカーユニットを収納するエンクロージャーとからなることを特徴とするスピーカー。
【請求項２】
前記Ｌチャンネル及びＲチャンネル用スピーカーユニットはそれぞれ独立のエンクロージャーに収容されていることを特徴とする請求項１に記載のスピーカー。
【発明の詳細な説明】
【技術分野】
【０００１】
本発明は、スピーカーに関する。
【背景技術】
【０００２】
本出願人は、これまでスピーカーから発する音が空間上でどのように伝搬し、リスナーの耳まで届くのかについて研究を行ってきた。特願２００２−３７５６１５にて本出願人はＬ、Ｒチャンネル用スピーカーユニットをその振動軸が１８０度の角度をもって配置したスピーカーを提案した。このスピーカーによれば、スピーカーユニットの間隔を大きくとることなく広い音場を得ることが可能となる。
【発明の開示】
【発明が解決しようとする課題】
【０００３】
しかしながら、リスナーに対して１８０度の角度をもってスピーカーユニットが配置されているため、一般的に高域の周波数特性が下がる。これを補うため、回路上で高域をブーストして再生していた。しかしながら、回路上での高域ブーストは高域のノイズも一緒にブーストするため、Ｓ／Ｎ比が劣化するという欠点を有する。
【課題を解決するための手段】
【０００４】
振動軸が互いに略１８０度の角度となるよう配置され、高域の再生音圧が中低域に比べて高いＬチャンネル及びＲチャンネル用スピーカーユニットからなる。
【発明の効果】
【０００５】
本発明によれば、スピーカーユニットの間隔が狭いながらも広い音場を得ることが可能となり、また回路で高域をブーストする必要がない。
【発明を実施するための最良の形態】
【０００６】
以下、本発明による最良の実施形態を、添付図面を参照しながら説明する。
【実施例】
【０００７】
以下、本発明の実施例を説明する。図１はスピーカー１の正面図である。密閉型のそれぞれ独立したエンクロージャー２、３には、Ｌチャンネル用スピーカーユニット４及びＲチャンネル用スピーカーユニット５が背中合わせになるようそれぞれ設けられ、Ｌチャンネル用スピーカーユニット４及びＲチャンネル用スピーカーユニット５の振動軸は互いに１８０度の角度とされている。従って、各スピーカーユニット４、５からの再生音は互いに反対方向に空間上に放射される。なお、６はエンクロージャー２、３を分離するための隔壁であり、スピーカーユニット４、５からの再生音によるお互いの干渉を防止する。
【０００８】
図２及び図３はこのスピーカー１をプラズマディスプレイ１０の上部に設置した状態を示す正面図及び右側面図である。スピーカー１からの再生音は、互いに１８０度の角度をもって空間に放出されることにより音像が左右方向に広がり、スピーカーユニット４、５が実際の距離よりも離れて設置されたのと同じ音場空間を得ることができる。
【０００９】
図４はスピーカーユニット４、５の周波数特性を示す。図４の線Ａで示すごとく、スピーカーユニット４、５の振動軸上の周波数特性は１ｋＨｚ付近からその音圧が上昇し、５ｋＨｚ付近で約５ｄＢ、１５ｋＨｚ付近で約１０ｄＢ、音圧が増加している。一方、図４の線Ｂはスピーカーユニット４、５の振動軸から９０度の位置における周波数特性を示す。図４の線Ａで示すごとく、元来高域が上がり気味の周波数特性であるため、一般的に高域の音圧が減少する位置においても線Ｂに示すごとく全ての周波数帯域でほぼフラットの特性を得ることができる。従って、電気回路で高域をブーストすることなく、スピーカーユニット４、５の振動軸と９０度の角度に位置するリスナーに対しても高域の減衰しない再生音を伝搬することが可能となる。
【００１０】
なお、上述の実施例においては、ステレオ２チャンネルで実施例を説明したが、このスピーカーを５．１チャンネルサラウンド信号のフロントチャンネル用スピーカーとして使用してもよい。この場合、センタースピーカーを追加し、その振動軸はリスナー方向に向けるのが望ましい。
【００１１】
その他、本発明は上述の実施例に限定されることなく、本発明の趣旨を逸脱しない範囲で種々の態様を取り得ることは勿論である。
【図面の簡単な説明】
【００１２】
【図１】スピーカー１の正面図。
【図２】スピーカー１をプラズマディスプレイ１０の上部に設置した状態を示す正面図。
【図３】スピーカー１をプラズマディスプレイ１０の上部に設置した状態を示す右側面図。
【図４】スピーカーユニット４、５の周波数特性を示す図。
【符号の説明】
【００１３】
１  スピーカー
２、３  エンクロージャー
４、５  スピーカーユニット
６  隔壁
【図１】
2006042186.tif 000003
【図２】
2006042186.tif 000004
【図３】
2006042186.tif 000005
【図４】
2006042186.tif 000006
(57)【要約】【課題】貫通孔や貫通部を設けた釣竿を提供する。【解決手段】釣竿の上面と下面に貫通孔や貫通部を設けたことを特徴とする釣竿。【選択図】図１
2006042776.tif 000002
【特許請求の範囲】
【請求項１】
貫通孔を設け、道糸を通すことができるようにした釣竿。
【請求項２】
貫通部を設け、道糸を通すことができるようにした釣竿。
【発明の詳細な説明】
【技術分野】
【０００１】本発明は、貫通孔や貫通部を設けた釣竿に関するものである。
【背景技術】
【０００２】従来、両軸リール用ガイド付き釣竿や両軸リール用中通し釣竿があった。
【発明の開示】
【発明が解決しようとする課題】
【０００３】そのために、次のような問題点があった。
（イ）  両軸リール用ガイド付き釣竿は、道糸を通すガイドが上向きに取り付けられてあるために、道糸がガイドにからまりやすい。
（ロ）  両軸リール用中通し釣竿は、道糸が釣竿の内部を通って行くために、道糸と釣竿の内面との間に摩擦抵抗が発生し仕掛けの落下速度が遅く、また釣竿の先端の部分の外形が他の釣竿と比較して太いので、魚のアタリの感度が悪い。
本発明は、これらの問題点を解決するためになされたものである。
【課題を解決するための手段】
【０００４】  釣竿に、貫通孔や貫通部を設け、道糸を釣竿の上面から下面に通すことができるようにする。以上を特徴とする釣竿である。
【発明の効果】
【０００５】  道糸を釣竿の上面から下面へ貫通孔や貫通部を使って通し、下面に取り付けたガイドにみちびく構成にすれば、イカのシャクリ釣りやカレイの小突釣りを行う場合や、またジキングを行う場合に道糸がガイドにからむことがなくなり楽しく釣りができる。
【発明を実施するための最良の形態】
【０００６】以下、本発明の実施の形態について説明する。
（イ）  図１は請求項１の斜視図を示していて、釣竿（１）の上面から竿先方向の下面に向かって斜めに貫通孔（２）を設け、また道糸（３）をみちびくために貫通孔（２）の上面にガイド（４）設け、さらに下面の貫通孔（２）から竿先までガイド（４）を取り付ける。
（ロ）  図２は請求項１の貫通孔（２）の横断面の拡大図を示し、釣竿（１）の内部に貫通孔（２）を設けた状况を示す。
（ハ）  図４は請求項２の斜視図を示し、釣竿（１）の上面と下面にも貫通部（５）を設ける。また下面の貫通部（５）は上面の貫通部（５）より竿先方向に設ける。上面の貫通部（５）に道糸（３）をみちびくためにガイド（４）を取り付け、さらに下面の貫通部（５）から竿先までガイド（４）を取り付ける。
（ニ）  図５は請求項２の貫通部（５）の横断面の拡大図を示し、釣竿（１）の上面と下面に貫通部（５）を設けた状況を示す。
（ホ）  図７は両軸リール（６）から出た道糸（３）が、上面のガイド（４）を通り貫通孔（２）を通過し、下面のガイド（３）を通って竿先から出た状況を示し、請求項２の場合も同様となる。
（ヘ）  図８は貫通孔（２）に道糸（３）を通すときの方法を示し、糸通しワイヤー（７）を使用し、道糸（３）をみちびく状況を示し、請求項２においても同様となる。
【図面の簡単な説明】
【０００７】
【図１】本発明の請求項１の斜視図
【図２】本発明の請求項１の貫通孔（２）の横断面拡大図
【図３】本発明の請求項１の貫通孔（２）の縦断面拡大図
【図４】本発明の請求項２の斜視図
【図５】本発明の請求項２の貫通部（５）の横断面拡大図
【図６】本発明の請求項２の貫通部（５）の縦断面拡大図
【図７】本発明の請求項１の使用状況を示す
【図８】本発明の請求項１の貫通孔（２）に道糸（３）を通すときの方法を示す
【符号の説明】
【０００８】１  釣竿
２  貫通孔
３  道糸
４  ガイド
５  貫通部
６  両軸リール
７  糸通しワイヤー
【図１】
2006042776.tif 000003
【図２】
2006042776.tif 000004
【図３】
2006042776.tif 000005
【図４】
2006042776.tif 000006
【図５】
2006042776.tif 000007
【図６】
2006042776.tif 000008
【図７】
2006042776.tif 000009
【図８】
2006042776.tif 000010
(57)【要約】【課題】〔０００１〕  従来のこの種の栽培袋本体は、フィルターが付いているとはいえ、これをくぐり抜けて培地に達する雑菌もあり、これが通気孔付近の培地に繁殖し栽培キノコの生長を阻害するという欠点がある。この発明の課題はこの欠点を解決することである。【解決手段】〔０００２〕  この発明は、上述の従来の欠点を解決するためになされたもので、栽培袋の通気孔を大きな一つの孔ではなく小さな多数の孔を一定の範囲に散在させることによって雑菌の繁殖を防止したものである。【選択図】    図３
2006042772.tif 000002
【特許請求の範囲】
【請求項１】
本体の通気孔部を多数の小孔とこれをカバーするフィルターとによって構成したことを特徴とするキノコ栽培袋。
【発明の詳細な説明】
【発明の詳細な説明】
【０００１】  この発明は、キノコ栽培袋に関するもので、通気部における雑菌障害をなくすように改善したものである。
【技術分野】
【０００２】  この発明は、キノコ栽培袋の技術の分野に属するものである。
【背景技術】
【０００３】  従来、キノコ栽培袋はポリエチレンやポリプロピレン等のフイルムからなる袋本体（１）の通気孔（２）は直径２．５〜４０ｍｍ程の孔を開けたもので、この通気孔（２）部分をカバーするようにフィルター（３）を貼り付けた構造となっている。
なお、（４）は折れ線で、（５）は熱シール線である。
【発明が解決しようとする課題】
【０００４】  従来のこの種の栽培袋本体（１）は、フィルター（３）が付いているとはいえ、このフィルター（３）内には雑菌が潜在しており、まいたけなどキノコの芽が通気孔（２）部でフィルター（３）に接触した場合、通気孔（２）部分はキノコが生長せず収穫後に株が崩れるという欠点があった。
この発明は、雑菌に侵されること無く安定したキノコ栽培を実現する栽培袋を提供し、従来の欠点を解決しようとするものである。
【０００５】  キノコ栽培の過程においてはキノコ菌の繁殖力が雑菌のそれに常に打ち勝っていないとキノコ菌が繁殖せず収穫を得ることは出来ないものである。従来の栽培袋は、通気孔の付近で、キノコが生長しないという現象が顕著の現れる。その原因は、通気孔が大きいためキノコの芽がフィルターに接触してしまい、フィルター内に潜在する雑菌によってキノコの生長が阻害され、収穫後に株の崩れなどを起こして良品の収穫率画低下する。  この発明は、キノコ栽培袋の通気孔の改善を図りこの問題を解決したものである。
【課題を解決するための手段】
【０００６】この発明は、栽培袋の通気孔を大孔を一個開けた従来の通気方を改め、微小孔を多数開けた構造にすることによって課題を解決したものである。
【実施例】
【０００７】つぎに、従来のキノコ栽培袋の通気孔部の例を図１について説明する。
（１）は従来の栽培袋本体で、本体（１）の上部一側に直径２．５〜４０ｍｍほどの通気孔（２）を開け、この通気孔（２）を不織布状のフィルター（３）で覆っている。  このような構造にしたキノコ栽培袋を使った場合、通気孔（２）が大きいので、通気孔（２）部においてキノコの芽がフィルター（３）に接触し、フィルター（３）内に潜在する雑菌によって成長が阻害され収穫後に株が崩れるなどの弊害がある。【０００８】この発明は、この弊害をなくすためになされたもので、大きい一つの通気孔（２）を設けるのをやめて小さい通気孔を多数設ける構造にして問題を解決したものである。【０００９】つぎに、この発明をまいたけ栽培に実施した一実施例を図３および図４について説明する。図３は通気孔部の一部切り欠き正面図、図４は通気孔部のＡ−Ａ断面図である。図において、（１０）は栽培袋本体で、この本体（１０）の上部には直径４ｃｍ程度の範囲に直径０．５〜１ｍｍ程度の多数の小さな通気孔（１１）を設け、この通気孔（１１）部を不織布からなるフィルター（１２）によって覆ってある。  このように構成したまいたけ用キノコ栽培袋（１１）は、通気孔（１１）部でキノコの芽がフィルター（１２）に接触することがなく、フィルター（１２）内に潜在する雑菌によって成長を阻害されることはないものである。
【発明の効果】
【００１０】この発明は、上述のように構成したので、キノコ栽培袋（１０）の通気部分（１１）付近においてもキノコの芽の成長が雑菌によって阻害されたり、収穫後に株が崩れることもなく、まいたけの芽を正常に成長させることができるものである。
【図面の簡単な説明】
【図１】はキノコ栽培袋の正面図、
【図２】はキノコ栽培袋の平面図、
【図３】はこの発明の通気孔部の一部切り欠き正面図、
【図４】はこの発明のキノコ栽培袋の通気孔部のＡ−Ａ断面図である。
【符号の説明】
（１０）栽培袋本体、（１１）通気孔、（１２）フィルター
【図１】
2006042772.tif 000003
【図２】
2006042772.tif 000004
【図３】
2006042772.tif 000005
【図４】
2006042772.tif 000006
(57)【要約】【課題】  簡単に且つ安価に生きびなごの鮮度を維持できると共に、生きびなごの商品価値を損なわないようにする。【解決手段】  生きびなごＡを、ドリップシート２が敷設されたトレー１に盛り付けした状態で袋体３に収納し、該袋体３を７０〜８０％程度脱気して密閉する。この場合、生きびなごＡの表面に袋体３が当接する程度の状態で密閉されることになり、生きびなごＡが変色することがない。しかも、脱気に際しては、ドリップシート２が緩衝部材の役目を担うことから、軟らかい生きびなごＡの身がつぶれなくて済む。即ち、生きびなごＡの鮮度を長期間保持でき、生きびなごＡの商品価値を維持できるようになる。【選択図】    図１
2006042709.tif 000002
【特許請求の範囲】
【請求項１】
生きびなごを、ドリップシートが敷設されたトレーに盛り付けした状態で袋体に収納し、該袋体を７０〜８０％程度脱気して密閉するようにしたことを特徴とする生きびなごの包装方法。
【請求項２】
生きびなごが、ドリップシートを敷設したトレーに盛り付けされた状態で袋体に収納され、さらに、該袋体が７０〜８０％程度脱気されて密閉されてなるものであることを特徴とする生きびなごの真空パック製品。
【発明の詳細な説明】
【技術分野】
【０００１】
本発明は、簡単に包装できて鮮度を保持できる生きびなごの包装方法、及び、生きびなごの真空パック製品に関する。
【背景技術】
【０００２】
従来、鮮魚などの包装方法としては、ドリップシートを第一容器に敷設し、その後、鮮魚の切身を第一容器のドリップシートに載置し、続いて、切身が載置された第一容器を真空パック用の袋体に収納し、この状態で脱気して密閉する。つぎに、密閉された複数の第一容器を、イオン水で製氷された氷が詰められた第二容器に積重して収納する。この際、凸部が形成された保持部材を、積重された各第一容器の間に介在させる一方、イオン水で製氷された氷を、各第一容器と保持部材の間、及び、第二容器の上面開口部に詰める（例えば、特許文献１参照）。
【０００３】
そして、イオン水で製氷された氷によって、鮮魚の切身の鮮度を長期間損なうことなく保存できるようにしている。
【０００４】
【特許文献１】特公平７―４１８８８号公報（第１―６頁、図１及び図２）
【発明の開示】
【発明が解決しようとする課題】
【０００５】
しかしながら、従来の包装方法は、真空パックされた複数の第一容器間に介在させる保持部材と、イオン水で製氷された氷と、第一容器、保持部材、氷を収納するための第二容器とが必要になるため、その分包装作業に手間がかかると共に、コスト高になるという問題がある。
【０００６】
また、第二容器に多段に積重された複数の第一容器には、各第一容器の間、及び、第二容器の上面開口部に詰められた氷の重さと、各第一容器の間に介在された保持部材の重さとが加わる一方、保持部材の凸部が第一容器に収納された鮮魚の切身を押圧している。このため、例えば、軟らかい生きびなごを真空パックした際には、生きびなごの身が重みによって潰れてしまう場合もあると思われる。
【０００７】
そこで、本発明は上記問題点に鑑み、簡単に且つ安価に鮮度を維持できると共に、商品価値を損なわない生きびなごの包装方法、及び、生きびなごの真空パック製品を提供することを目的とする。
【課題を解決するための手段】
【０００８】
上記課題を解決するために、本発明の生きびなごの包装方法は、請求項１に示す如く、生きびなごを、ドリップシートが敷設されたトレーに盛り付けした状態で袋体に収納し、該袋体を７０〜８０％程度脱気して密閉するようにしたものである。
【０００９】
したがって、生きびなごの表面に袋体が当接する程度の状態で密閉されることから、生きびなごが変色することがなく、しかも、軟らかい生きびなごの身がつぶれなくて済む。即ち、生きびなごの鮮度を長期間保持できることになり、生きびなごの色や原形を留めた状態で食せるようになる。また、本発明に使用されるドリップシートは、生きびなごのドリップ（滲出物）を吸収する役目と、脱気による押圧に対する緩衝部材の役目とを担っている。
【００１０】
また、本発明の生きびなごの真空パック製品は、請求項２に示す如く、生きびなごが、ドリップシートを敷設したトレーに盛り付けされた状態で袋体に収納され、さらに、該袋体が７０〜８０％程度脱気されて密閉されてなるものである。
【発明の効果】
【００１１】
以上説明したように、本発明の生きびなごの包装方法は、生きびなごを、ドリップシートが敷設されたトレーに盛り付けした状態で袋体に収納し、該袋体を７０〜８０％程度脱気して密閉するようにしたので、生きびなごの商品価値の高い状態を維持できる効果がある。
【発明を実施するための最良の形態】
【００１２】
本発明を実施するための最良の形態につき、図１〜図３を参照して説明する。まず、本発明の生きびなごの真空パック製品の構成について説明する。本発明の生きびなごの真空パック製品は、平面視略矩形状のトレー１と、該トレー１に敷設されたドリップシート２と、ドリップシート２が敷設されたトレー１を真空パックするための袋体３とから構成されている。
【００１３】
トレー１は、平面視略矩形状を呈し、合成樹脂によって製作されている。例えば、縦寸法が２１ｃｍ程度、横寸法が２８ｃｍ程度の大きさを有し、生きびなごを５０匹程度収納できる容積を有している。
【００１４】
ドリップシート２は、市販されているものを使用し、トレー１の底部に敷設できるように切断加工されている。
【００１５】
袋体３は、真空パック用のもので、且つ、耐水性を有するもの（市販品）が使用されている。
【００１６】
真空パック装置は、既存のものが使用され、脱気する程度が数値として表示されるものを使用する（図示せず）。
【００１７】
つぎに本発明の生きびなごの包装方法について説明する。ドリップシート２をトレー１に敷設し、つぎに、複数の生きびなごＡを、トレー１のドリップシート２の上に盛り付け、その後、生きびなごＡが盛り付けられたトレー１を袋体３に収納し、７０〜８０％程度脱気して密閉する（真空パック）。
【００１８】
そうすれば、ドリップシート２が緩衝部材となり、脱気による押圧から軟らかい生きびなごＡの身を保護できる一方、真空パックによって、生きびなごＡの鮮度を長期間維持できるようになる。
【００１９】
なお、前記実施形態の場合、平面視略矩形状のトレー１を使用したが、円形、楕円形、多角形などのトレー１を使用してもよい。この場合、生きびなごＡの盛り付けの仕方もトレー１の形状に合わせて適宜変更可能である。例えば、平面視円形のトレー１であれば、生きびなごＡをトレー１に放射線状に盛り付けるようにしてもよい。
【産業上の利用可能性】
【００２０】
本発明の生きびなごの包装方法は、軟らか目の鮮肉の真空パックにも利用できる。
【図面の簡単な説明】
【００２１】
【図１】本発明の生きびなごの真空パック製品の斜視図である。
【図２】図１の断面図である。
【図３】本発明の生きびなごの包装方法の説明図である。
【符号の説明】
【００２２】
１  トレー
２  ドリップシート
３  袋体
Ａ  生きびなご
【図１】
2006042709.tif 000003
【図２】
2006042709.tif 000004
【図３】
2006042709.tif 000005
(57)【要約】［課題］    現在、パン食が疎んじられて往時の半分も売れていない。食パン食では、炙ったパンに好みに応じたものが難なく色々と塗って食べられるように周辺食品が整わなくてはならない。先ず、バターをそうしたい。そして、バターをベースとした各種の添塗食品の開発が期待されている。［解決手段］    バターが食パンなどに直ぐ使えるように軟らかくして置きたい。その為には、チューブ入りにして、常温下に置いておけるようにするのが最も簡単で低コストである。そこで、常に軟らかく絞り出せて使用できるようにした、ナガイズバターと呼ぶことにする、チューブ入りバター。［選択図］    なし。【特許請求の範囲】
【請求項１】
バターが食パンなどに直ぐ使えるように軟らかくして置きたい。その為には、チューブ入りにして、常温下に置いておけるようにするのが最も簡単で低コストである。そこで、常に軟らかく絞り出せて使用できるようにした、ナガイズバターと呼ぶことにする、チューブ入りバター。
【請求項２】
「請求項１」における「チューブ入りバター」の特殊形態で、なかなか特定できないが、一食分の食パン食に適した量の、例えば学童用１０ｇ大人用２０ｇくらいの、学校給食用や一般レストラン用やカフェスナック用などの需要に応えた、ナガイズバターホーワンと呼ぶことにする、「一食分チューブ入りバター」。
【請求項３】
「請求項１」や「請求項２」における「チューブ入りバター」にチョコレートやピーナツ粉やレバー粉や海藻粉などを添加混合した、「チューブ入り」の或いは「一食分チューブ入り」の「チョコレートバター」や「ピーナツパウダーバター」や「レバーパウダーバター」や「シーウイードパウダーバター」など。
【発明の詳細な説明】
【発明の詳細な説明】
私は、近年歯が悪くなり、粘りの強い食パンが噛み切れなくなった。３年近くも遠慮していた。腹が減って、偶々入った喫茶店にトーストしか食べれる物が無く、何年か振りにコーヒーに浸して食べて見ると美味しかった。厚切りにする程水分が保たれてからからにせずに焼ける。
現在の電気のオーブントースターでは火力が弱く、時間を食うので、乾燥が進む。火力を強めるにはヒーターの出力を１ｋｗを超えるようにしなくてはならず、特別配線をしなくてはならなくなるのではないかと思う。
そこで、カセットガスを使用した「ガストースター」を発案している。
それにしても、トースターで困ることは塗るべきバターが冷蔵しておく関係から硬くて思うように塗れないことである。もたもたしている内にパンが冷めてしまい固く美味しくなくなる。バターをたっぷり塗って油を泌み込まさせると冷めても比較的に軟らかい。
私は、この前までは、バターを溶かすライターくらいのボンベを用いた加熱皿を発想していた。
しかし、また、考えが進んで、バターの包装を工夫すれば、バターも常温下に置いておいても変質しないことに気づいた。私は、何時も雪印のチューブ入りラードを使用しているが、最初は冷蔵するものと冷蔵庫に入れていて使い辛かったが、常温下に放置することを気づいてからは、適当に軟らかくなり、チューブから難なく必要量を絞り出せている。
バターもこれと同じように包装して使用するようにすれば、わざわざ溶かし皿を用いることはない。
チョコレートバターやピーナツ粉バターやレバー粉バターや海藻粉バターなども使い易く包装でき、またまた食パン食を再盛することが出来る。最盛期から見ると、半分の消費量に衰退した食パン業界には前代未聞の朗報であろう。
塩気の丁度よい物に仕上げたい。塩気を控えては万事不味くなるのが化学の教える所である。別途、清書中である。副えて飲む牛乳にも添加すれば美味しく消化を良くするスープの素を開発して花を添えたい。
炭酸水膨張剤も出願しているので、老人用に不純物の残らない入れ歯に優しい軟らかい蒸し食パンを開発して老人にも食パン食を楽しんで貰おうと思っている。
本発明の一食分の物も開発し、学校給食やレストランやカフェスナックなどに供給して喜んで貰おうとも考えている。
食パンには何は無くてもバター。これまで、そのバターの在り方が即席化した食卓で疎んじられていた。これを最低費用で以て解決でき、些か鼻が高いのである。
(57)【要約】      （修正有）【課題】従来の犬のトイレの形状は、ペットシートを枠の中に敷くタイプが支流で、犬がシートの上で尿をするとシートに広がった尿で足を汚したり、動き回ることで敷いたペットシートをぐしゃぐしゃにしてしまった。また、汚れたシートの交換が１枚１枚取替えが必要で面倒だった。汚れたシートも、汚れていないところとのムラがあり、廃棄すれば当然ゴミの量を増やしていた。【解決手段】パンチングスノコ２を設け、足を汚さず直接尿を下に落とし、落ちた尿はパンチングスノコ２の裏面、受け皿の働きにより一定の範囲へと落とし汚れたところと、汚れていないところのムラを無くすことにより、ペットシート使用面積を通常の２分の１に減らし、無駄をはぶくことができる。ロール状ミシン目入りペットシートの使用により、面倒な汚れたシートの交換を容易にした。【選択図】図１
2006042786.tif 000002
【特許請求の範囲】
【請求項１】
足を汚さず、尿を下に落とすことを特徴とする犬のトイレ器具。
【請求項２】
前記のトイレ器具は、落とした尿を狭い範囲に集める集中方式を特徴とする。
【請求項３】
前記のトイレ器具は、ロール状のペットシートを使用し、装着交換を容易にすることを特徴とする。
【発明の詳細な説明】
【技術分野】
【０００１】  この発明は、犬のトイレの形状に関する。
【背景技術】
【０００２】  従来の犬のトイレの形状は、図４に示すように、本体である受け皿にペットシートを敷き、ずれないように止めをつけたものである。
【特許文献１】特開平０８−０５６５２２号
【発明の開示】
【発明が解決しようとする課題】
【０００３】  しかしながら、従来の技術は、犬がトイレの上で尿をするとシートにしみた尿で足が汚れる。、また、シートの上で犬が回転するとシートがずれ足をよごす。【０００４】  従来の技術は、シートの汚れた部分と汚れていない部分のムラがあり、汚れていない部分も廃棄しゴミを増やしていた。
そこで、この発明は、足を汚さずシートの無駄をなくし、しかも装着の簡単さを提供することを課題とする。
【課題を解決するための手段】
【０００５】  以上の課題を解決するために、第一発明は、足を汚さないためのスノコを設けたことを特徴とする犬のトイレである。
また、第二発明は、スノコの裏側に尿を集中して落とすための受け皿を設けたことを特徴とする犬のトイレである。
また、第三発明は、装着の簡単なロールシートを使用することを特徴とする犬のトイレである。
【発明の効果】
【０００６】  第一発明では、パンチング状のスノコを設けることにより尿が直接下に落ち、足を汚すことが無い。また、スノコの上で犬が回転してもシートがずれることも無い。
第二発明では、スノコの裏側に受け皿を設け、落ちた尿を中央部分に集めることにより、従来のペットシートの二分の一の大きさですみ、無駄がはぶける。
第三の発明は、汚れたシートを取り外し、新しいシートを取り付ける従来の装着の手間をはぶくため、ロール状のミシン目入りペットシートを使用し簡略化した。
【発明を実施するための最良の形態】
【０００７】  この発明の一実施形態を、図１に示す。
犬のトイレの本体１は、プラスチック製であり、この本体１の上面は、パンチングスノコ２が取り外し式に設けられている。このスノコの裏面には、尿を受ける受け皿が設けられている。本体１には、ロール状のペットシートの取り付け部分３が設けられており、本体１の中央部分からシートを引き出せるようになっている。【０００８】『実施形態の効果』
この実施形態によれば、パンチング状のスノコ２の働きで足を汚さず、シートのずれも防ぐ。また、パンチング状のスノコ２の裏面、受け皿の働きで尿の落ちる範囲を一定化し、ペットシートの大きさを抑えゴミとして捨てるシートの量を減らす。
ミシン目入りロール状ペットシートの取り付け３により、汚れたシートの取替えが簡単に行える。
【図面の簡単な説明】
【０００９】
【図１】この発明の一実施形態を示す斜視図である。
【図２】パンチングスノコ（裏面に受け皿つき）の斜視図である。
【図３】ロール状ペットシートの取り付け部を示す斜視図である。
【図４】従来技術を示す斜視図である。
【符号の説明】
【００１０】１  犬のトイレ本体                ２  パンチングスノコ（受け皿つき）
３  ロールシート取り付け部位
【図１】
2006042786.tif 000003
【図２】
2006042786.tif 000004
【図３】
2006042786.tif 000005
【図４】
2006042786.tif 000006